【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】  ＭＥＡとセパレータとを有し、セパレータのＭＥＡ対向面に反応ガス流路が形成されている燃料電池であって、前記セパレータの少なくとも一部に多孔質部を形成し、該多孔質部の反応ガス流路背面に冷却用ガス流路を形成し、反応ガス流路の上流部が位置するセパレータ部分には別の冷媒流路を形成した燃料電池。
【請求項２】  前記冷却用ガス流路は下流で燃料電池に供給される反応ガスの供給流路に接続している請求項１記載の燃料電池。
【請求項３】  前記冷却用ガス流路は流量制御可能である請求項２記載の燃料電池。
【請求項４】  反応ガス流路の下流部が位置するセパレータ部分のみに前記多孔質部を形成した請求項１記載の燃料電池。
【請求項５】  前記セパレータの前記多孔質部の前記反応ガス流路と前記冷却用ガス流路がそれぞれ山部間に位置する溝部から形成されており、前記多孔質部のうち前記反応ガス流路と前記冷却用ガス流路の少なくとも一方の、前記山部、または前記山部とその山下部が、前記多孔質部のその他の部分より気孔率を大とされている請求項１記載の燃料電池。
【請求項６】  前記セパレータの前記多孔質部の前記反応ガス流路と前記冷却用ガス流路がそれぞれ山部間に位置する溝部から形成されており、前記多孔質部の前記反応ガス流路と前記冷却用ガス流路の少なくとも一方のガス流路の山／溝比がそれ以外の部分のガス流路の山／溝比より小とされている請求項１記載の燃料電池。
【請求項７】  前記セパレータの前記多孔質部の前記冷却用ガス流路が多孔質材で充填されている請求項１記載の燃料電池。
【請求項８】  前記セパレータの多孔質部の表裏に流すガスが同種である請求項１記載の燃料電池。
【請求項９】  前記セパレータの前記冷却用ガス流路の上流にブロワを接続した請求項１記載の燃料電池。
【請求項１０】  前記セパレータの前記冷却用ガス流路の下流で、反応ガス供給流路への接続部の上流側にブロワを配置した請求項２記載の燃料電池。
【請求項１１】  前記セパレータの前記冷却用ガス流路の下流で、反応ガス供給流路への接続部の上流側に、負圧発生手段への通路を接続した請求項２記載の燃料電池。
【請求項１２】  前記冷却用ガス流路が空気流路である請求項１記載の燃料電池。
【請求項１３】  前記冷却用ガス流路が燃料ガス流路である請求項１記載の燃料電池。
【請求項１４】  ＭＥＡを挟んで対向する一対のセパレータにそれぞれ前記冷却用ガス流路が形成され、該一対のセパレータのうち、一方のセパレータに形成された冷却用ガス流路は空気流路であり、他方のセパレータに形成された冷却用ガス流路は燃料ガス流路である請求項１記載の燃料電池。
【請求項１５】  前記多孔質部を、ガスを遮断し水分のみを透過させる水分交換膜から構成した請求項１記載の燃料電池。
【請求項１６】  前記セパレータの、反応ガス流路側表面の少なくとも一部の領域で、セパレータ厚さ方向に反応ガス流路側表面から背面側に向かって一部の厚さ部分を、多孔質材で形成した請求項１記載の燃料電池。
【請求項１７】  前記セパレータの反応ガス下流部に設けられる多孔質部が、アノード側にも、カソード側にも形成され、該多孔質部の通気抵抗がアノード＞カソードとしてある請求項４記載の燃料電池。
【請求項１８】  前記セパレータの反応ガス下流部に設けられる多孔質部が、アノード側にも、酸化ガス側にも形成され、気孔率がアノード＜カソードとしてある請求項１７記載の燃料電池。
【請求項１９】  前記セパレータの反応ガス下流部に設けられる多孔質部が、アノード側にも、酸化ガス側にも形成され、気孔径がアノード＜カソードとしてある請求項１７記載の燃料電池。
【請求項２０】  前記セパレータの反応ガス下流部に設けられる多孔質部が、アノード側にも、酸化ガス側にも形成され、多孔質部の面積がアノード＜カソードとしてある請求項１７記載の燃料電池。
【請求項２１】  前記セパレータの反応ガス下流部に設けられる多孔質部が、アノード側にも、酸化ガス側にも形成され、多孔質部の厚みがアノード＞カソードとしてある請求項１７記載の燃料電池。
【請求項２２】  セパレータの燃料ガス流路に対し多孔質部が形成されるセルは、アノードフラッディングの発生しやすいセルのみとした請求項１記載の燃料電池。
【請求項２３】  セパレータのＭＥＡ対向面に形成される反応ガス流路が拡散層側に形成されている請求項１記載の燃料電池。
【手続補正２】
【補正対象書類名】明細書
【補正対象項目名】００６１
【補正方法】変更
【補正の内容】
【００６１】
【発明の効果】
請求項１の燃料電池によれば、セパレータに多孔質部を形成し、多孔質部の反応ガス流路背面に冷却用ガス流路を形成したので、生成水の排出と燃料電池の冷却との両方を達成することができる。
また、反応ガス流路の上流部が位置するセパレータ部分には別の冷媒流路を形成したので、この別の冷媒流路に冷却水を流すことにより、発熱量の多い上流部を冷却能が大きい冷却水で冷却できる。
請求項２の燃料電池によれば、冷却用ガス流路は下流で燃料電池に供給される反応ガスの供給流路に接続しているので、供給反応ガスの加湿器が不要になるか、設けても小型なもので済む。
請求項３の燃料電池によれば、冷却用ガス流路が流量制御可能であるため、排水性の制御が可能となる。
請求項４の燃料電池によれば、反応ガス流路の下流部が位置するセパレータ部分のみに多孔質部を形成したので、反応ガス流路の下流部は生成水が生成されやすい部位と一致し、フラッディングを効果的に抑制することができる。
請求項５の燃料電池によれば、多孔質部のうち反応ガス流路と冷却用ガス流路の少なくとも一方のガス流路の、山部、または山部とその山下部が、多孔質部のその他の部分より気孔率を大とされているので、山部がある部位か溝部がある部位かにかかわらず多孔質部のほぼ全域でほぼ均一に生成水を冷却用ガス流路に移行させることができる。
請求項６の燃料電池によれば、多孔質部の反応ガス流路と冷却用ガス流路の少なくとも一方のガス流路の山／溝比がそれ以外の部分（ＬＬＣによる冷却部）のガス流路の山／溝比より小とされているので、山部がある部位か溝部がある部位かにかかわらず多孔質部のほぼ全域でほぼ均一に生成水を冷却用ガス流路に移行させることができる。
請求項７の燃料電池によれば、セパレータの多孔質部の冷却用ガス流路が多孔質材で充填されているので、多孔質部のほぼ全域でほぼ均一に生成水を冷却用ガス流路に移行させることができる。
請求項８の燃料電池によれば、多孔質部の両側のガスが互いに同種であるため、混合しても問題が生じない。
請求項９の燃料電池によれば、セパレータの冷却用ガス流路の上流にブロワを接続したので、セパレータの冷却用ガス流路のガス圧が高くなり、冷却用ガス流路から多孔質部を通して反応ガス流路の下流部（濃度が低下している）に新しい反応ガスを一部供給でき、反応ガス流路の下流部の発電能力を上げることができる。
請求項１０の燃料電池によれば、セパレータの冷却用ガス流路の下流の接続流路にブロワを配置したので、セパレータの冷却用ガス流路のガス圧が負圧となり、多孔質部で反応ガス流路から多孔質部を通して冷却用ガス流路にガスを流すことができ、このガスの流れに載せて生成水を排出でき、生成水の排出が促進される。
請求項１１の燃料電池によれば、冷却用ガス流路の下流で、接続流路に負圧発生手段への通路を接続したので、多孔質部に詰まりが発生した場合に負圧を作用させて詰まりを除去することができる。
請求項１２の燃料電池によれば、冷却用ガス流路が空気流路であるので、冷却ガスを加湿してそのまま酸化ガスに利用できる。
請求項１３の燃料電池によれば、冷却用ガス流路が燃料ガス流路であるので、冷却ガスを加湿してそのまま燃料ガスに利用できる。
請求項１４の燃料電池によれば、一対のセパレータのうち、一方のセパレータに形成された冷却用ガス流路が空気流路であり、他方のセパレータに形成された冷却用ガス流路が燃料ガス流路であるので、空気流路を流れる冷却ガスを加湿してそのまま酸化ガスに利用でき、燃料ガス流路を流れる冷却ガスを加湿してそのまま燃料ガスに利用できる。
請求項１５の燃料電池によれば、水分交換部がガスを透過させずに水分のみを透過させるので、水分交換部の両側に互いに異種のガスを流してもガスは混合せず問題は生じない。
請求項１６の燃料電池によれば、セパレータの、反応ガス流路側表面の少なくとも一部の領域で、セパレータ厚さ方向に反応ガス流路側表面から背面側に向かって一部の厚さ部分を、多孔質材で形成したので、集電面の排水性と、ガス供給性が向上する。
請求項１７の燃料電池によれば、多孔質部の通気抵抗をアノード＞カソードとしてあるので、水素漏れを抑制できる。
請求項１８の燃料電池によれば、多孔質部の気孔率をアノード＜カソードとしてあるので、水素漏れを抑制できる。
請求項１９の燃料電池によれば、多孔質部の気孔径をアノード＜カソードとしてあるので、水素漏れを抑制できる。
請求項２０の燃料電池によれば、多孔質部の面積をアノード＜カソードとしてあるので、水素漏れを抑制できる。
請求項２１の燃料電池によれば、多孔質部の厚みをアノード＞カソードとしてあるので、水素漏れを抑制できる。
請求項２２の燃料電池によれば、多孔質部が形成されるセルは、アノードフラッディングの発生しやすいセルのみであので、水素漏れを抑制できる。
請求項２３の燃料電池によれば、セパレータのＭＥＡ対向面に形成される反応ガス流路が拡散層側に形成されているので、セパレータに製造が容易になる。